(57)【要約】多数の無線基地局（ＲＢＳ）に接続したフィルタユニットに１つのアンテナが結合している送受信機システムについて記述した。各ＲＢＳは１本の送受信（ＴＸ／ＲＸ）ケーブルと、必要な場合は受信（ＲＸ）ケーブルを用いてフィルタユニットに接続する。複数のＲＢＳが１つのアンテナを共有可能とするために、各ＲＢＳはデュープレックスフィルタを内蔵する。そして、そのフィルタユニットは、ダイプレックスフィルタと、デュープレックスフィルタと、部分帯域デュープレックスフィルタと、ダイプレックス・デュープレックスフィルタと、スプリッタと、低雑音増幅器との中の少なくともいずれかとの特定の組み合わせを持つ。送受信機システムの４つの代表的な実施例を記述して、複数のＲＢＳが同じ周波数帯域を共有することや、複数のＲＢＳが（例えば、ＴＤＭＡ、ＣＤＭＡ、ＷＣＤＭＡ、及びＧＳＭのような）異なる無線標準方式で動作することの内、少なくともいずれかのことがあるとしても、全てのＲＢＳが１つのアンテナを共有可能とするにはフィルタユニットはどのように構成されるかを示した。また、本発明に従って記述されるのは、（１）送受信機システムを構成する方法、（２）無線基地局、及び（３）アンテナである。
2007515895.tif 000002
【特許請求の範囲】
【請求項１】
アンテナと、
フィルタユニットと、
夫々がデュープレックスフィルタを内蔵しており、全てが前記アンテナに結合した前記フィルタユニットに接続している複数の無線基地局とを有し、
前記複数の無線基地局が、たとえひとつの周波数帯域を共有し、そして、たとえ前記複数の無線基地局が異なる無線標準方式で動作したとしても、前記複数の無線基地局は前記アンテナを共有することを特徴とする送受信機システム。
【請求項２】
前記フィルタユニットは、
前記アンテナと結合しているダイプレックスフィルタと、
第１のデュープレックスフィルタとを含み、
前記ダイプレックスフィルタは、
全帯域受信（ＲＸ）フィルタと、
２つの部分帯域送信（ＴＸ）フィルタとを含み、
前記全帯域受信（ＲＸ）フィルタは、第１の部分帯域送信（ＴＸ）フィルタに接続され、
前記第１のデュープレックスフィルタは、
前記ダイプレックスフィルタの中の第２の部分帯域送信（ＴＸ）フィルタに接続された送信（ＴＸ）フィルタと、
受信（ＲＸ）フィルタとを含み、
第１の無線基地局は、前記ダイプレックスフィルタ中の前記全帯域受信（ＲＸ）フィルタと前記第１の部分帯域送信（ＴＸ）フィルタとに接続しているデュープレックスフィルタを内蔵しており、
前記第１の無線基地局は、前記ダイプレックスフィルタの中の前記全帯域受信（ＲＸ）フィルタから受信した受信（ＲＸ）信号を前記第１のデュープレックスフィルタの中の受信（ＲＸ）フィルタへ接続するスプリッタとのインタフェースをもち、
第２の無線基地局は、前記第１のデュープレックスフィルタ中の前記送信（ＴＸ）フィルタと前記（ＲＸ）受信フィルタとに接続しているデュープレックスフィルタを内蔵していることを特徴とする請求項１に記載の送受信機システム。
【請求項３】
前記ダイプレックスフィルタは、
第３の部分帯域送信（ＴＸ）フィルタと、
第２のデュープレックスフィルタとを含み、
前記第２のデュープレックスフィルタは、
前記ダイプレックスフィルタの中の前記第３の部分帯域送信（ＴＸ）フィルタに接続している送信（ＴＸ）フィルタと、
受信（ＲＸ）フィルタとを含み、
第３の無線基地局は、前記スプリッタから前記受信（ＲＸ）信号を受信する前記受信（ＲＸ）フィルタを有している前記第２のデュープレックスフィルタの中の前記送信（ＴＸ）フィルタと前記受信（ＲＸ）フィルタとに接続しているデュープレックスフィルタを内蔵していることを特徴とする請求項２に記載の送受信機システム。
【請求項４】
前記フィルタユニットは、
前記アンテナと結合された部分帯域デュープレックスフィルタを含み、
前記部分帯域デュープレックスフィルタは、
２つの部分帯域受信（ＲＸ）フィルタと、
２つの部分帯域送信（ＴＸ）フィルタとを含み、
第１の部分帯域受信（ＲＸ）フィルタが第１の部分帯域送信（ＴＸ）フィルタに接続され、第２の部分帯域受信（ＲＸ）フィルタが第２の部分帯域送信（ＴＸ）フィルタに接続され、
第１の無線基地局は、前記部分帯域デュープレックスフィルタの中の前記第１の部分帯域受信（ＲＸ）フィルタと前記第１の部分帯域送信（ＴＸ）フィルタとに接続されたデュープレックスフィルタを内蔵しており、
第２の無線基地局は、前記部分帯域デュープレックスフィルタの中の前記第２の部分帯域受信（ＲＸ）フィルタと前記第２の部分帯域送信（ＴＸ）フィルタとに接続されたデュープレックスフィルタを内蔵していることを特徴とする請求項１に記載の送受信機システム。
【請求項５】
前記部分帯域デュープレックスフィルタはさらに、
第３の部分帯域受信（ＲＸ）フィルタと、
第３の部分帯域送信（ＴＸ）フィルタとを含み、
前記第３の部分帯域受信（ＲＸ）フィルタは、第３の部分帯域送信（ＴＸ）フィルタに接続され、
第３の無線基地局は、前記部分帯域デュープレックスフィルタの中の前記第３の部分帯域受信（ＲＸ）フィルタと前記第３の部分帯域送信（ＴＸ）フィルタとに接続されたデュープレックスフィルタを内蔵していることを特徴とする請求項４に記載の送受信機システム。
【請求項６】
前記フィルタユニットは、
アンテナと、
前記アンテナに結合されたダイプレックス・デュープレックスフィルタとを含み、
前記ダイプレックス・デュープレックスフィルタは、
２つの全帯域受信（ＲＸ）フィルタと、
２つの部分帯域送信（ＴＸ）フィルタとを含み、
第１の全帯域受信（ＲＸ）フィルタが第１の部分帯域送信（ＴＸ）フィルタに接続され、第２の全帯域受信（ＲＸ）フィルタが第２の部分帯域送信（ＴＸ）フィルタに接続され、
第１の無線基地局は、前記ダイプレックス・デュープレックスフィルタの中の前記第１の全帯域受信（ＲＸ）フィルタと前記第１の部分帯域送信（ＴＸ）フィルタとに接続されたデュープレックスフィルタを内蔵し、
前記第１の無線基地局は、前記第１の全帯域受信（ＲＸ）フィルタから受信した受信（ＲＸ）信号を前記ダイプレックス・デュープレックスフィルタの中の前記第２の全帯域受信（ＲＸ）フィルタへ接続するスプリッタとのインタフェースをもち、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵していることを特徴とする請求項１に記載の送受信機システム。
【請求項７】
前記ダイプレックス・デュープレックスフィルタはさらに、
第３の全帯域受信（ＲＸ）フィルタと、
第３の部分帯域送信（ＴＸ）フィルタとを含み、
前記第３の全帯域受信（ＲＸ）フィルタは前記第３の全帯域送信（ＴＸ）フィルタに接続され、
第３の無線基地局は、前記ダイプレックス・デュープレックスフィルタの中の前記第３の全帯域受信（ＲＸ）フィルタと前記第３の部分帯域送信（ＴＸ）フィルタとに接続されたデュープレックスを内蔵し、
前記第３の全帯域受信（ＲＸ）フィルタは、前記アンテナには接続されるのではなく、代わりに前記スプリッタからの前記受信（ＲＸ）信号を受信することを特徴とする請求項６に記載の送受信機システム。
【請求項８】
前記フィルタユニットは、
アンテナと、
前記アンテナに接続されたダイプレックス・デュープレックスフィルタとを含み、
前記ダイプレックス・デュープレックスフィルタは、
２つの全帯域受信（ＲＸ）フィルタと、
２つの部分帯域送信（ＴＸ）フィルタとを含み、
第２の全帯域受信（ＲＸ）フィルタは第２の部分帯域送信（ＴＸ）フィルタに接続され、
第１の無線基地局は、低雑音増幅器を介して第１の全帯域受信（ＲＸ）フィルタに接続され、前記ダイプレックス・デュープレックスフィルタの中の第１の部分帯域送信（ＴＸ）フィルタにも接続されたデュープレックスフィルタを内蔵し、
前記低雑音増幅器は、前記第１の全帯域受信（ＲＸ）フィルタから受信した受信（ＲＸ）信号を前記ダイプレックス・デュープレックスフィルタの中の前記第２の全帯域受信（ＲＸ）フィルタに接続し、前記第２の全帯域受信（ＲＸ）フィルタは、前記アンテナには結合されておらず、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵していることを特徴とする請求項１に記載の送受信機システム。
【請求項９】
前記ダイプレックス・デュープレックスフィルタはさらに、
第３の全帯域受信（ＲＸ）フィルタと、
第３の部分帯域送信（ＴＸ）フィルタとを含み、
前記第３の全帯域受信（ＲＸ）フィルタは前記第３の部分帯域送信（ＴＸ）フィルタに接続され、
第３の無線基地局は、前記ダイプレックス・デュープレックスフィルタの中の前記第３の全帯域受信（ＲＸ）フィルタと前記第３の部分帯域送信（ＴＸ）フィルタとに接続されたデュープレックスフィルタを内蔵し、
前記第３の全帯域受信（ＲＸ）フィルタは前記アンテナには接続されず、代わりに前記低雑音増幅器からの前記受信（ＲＸ）信号を受信することを特徴とする請求項８に記載の送受信機システム。
【請求項１０】
前記無線標準方式は、
時分割多元接続（ＴＤＭＡ）と、
符号分割多元接続（ＣＤＭＡ）と、
広帯域符号分割多元接続（ＷＣＤＭＡ）と、
汎欧州デジタル移動電話方式（ＧＳＭ）とを含むことを特徴とする請求項１に記載の送受信機システム。
【請求項１１】
送受信機システムを構築する方法であって、
アンテナを備える工程と、
フィルタユニットを備える工程と、
夫々が、前記アンテナに接続された前記フィルタユニットに接続されたデュープレックスフィルタを内蔵した少なくとも２つの無線基地局を備える工程とを有し、
たとえ前記少なくとも２つの無線基地局が周波数帯域を共有し、たとえ前記少なくとも２つの無線基地局が異なる無線標準方式で動作しても、前記少なくとも２つ無線基地局は前記アンテナを共有することを特徴とする方法。
【請求項１２】
前記フィルタユニットは、
前記アンテナに接続されたダイプレックスフィルタと、
第１のデュープレックスフィルタとを含み、
前記ダイプレックスフィルタは、
全帯域受信（ＲＸ）フィルタと、
２つの部分帯域送信（ＴＸ）フィルタとを含み、
前記全帯域受信（ＲＸ）フィルタは第１の部分帯域送信（ＴＸ）フィルタに接続され、
前記第１のデュープレックスフィルタは、
前記ダイプレックスフィルタの中の第２の部分帯域送信（ＴＸ）フィルタに接続された送信（ＴＸ）フィルタと、
受信（ＲＸ）フィルタとを含み、
第１の無線基地局は、前記ダイプレックスフィルタの中の前記全帯域受信（ＲＸ）フィルタと前記第１の部分帯域送信（ＴＸ）フィルタとに接続されたデュープレックスフィルタを内蔵し、
前記第１の無線基地局は、前記ダイプレックスフィルタの中の前記全帯域受信（ＲＸ）フィルタから受信した受信（ＲＸ）信号を前記第１のデュープレックスフィルタの中の前記受信（ＲＸ）フィルタに結合するスプリッタとのインタフェースをもち、
第２の無線基地局は、前記第１のデュープレックスフィルタ中の前記送信（ＴＸ）フィルタと前記受信（ＲＸ）フィルタとに接続されたデュープレックスフィルタを内蔵していることを特徴とする請求項１１に記載の方法。
【請求項１３】
前記少なくとも２つの無線基地局を備える工程は、前記少なくとも２つの無線基地局に新しい無線基地局を付加する工程を含み、
前記付加する工程において、
前記ダイプレックスフィルタはさらに、
第３の部分帯域送信（ＴＸ）フィルタと、
第２のデュープレックスフィルタとを含み、
前記第２のデュープレックスフィルタは、
前記ダイプレックスフィルタの中の前記第３の部分帯域送信（ＴＸ）フィルタに接続された送信（ＴＸ）フィルタと、
受信（ＲＸ）フィルタとを含み、
前記新しい無線基地局は、前記スプリッタから前記受信（ＲＸ）信号を受信する前記受信（ＲＸ）フィルタを有している前記第２のデュープレックスフィルタの中の前記送信フィルタと前記受信フィルタとに接続されたデュープレックスフィルタを内蔵していることを特徴とする請求項１２に記載の方法。
【請求項１４】
前記フィルタユニットは、
前記アンテナと結合している部分帯域デュープレックスフィルタを含み、
前記部分帯域デュープレックスフィルタは、
２つの部分帯域受信（ＲＸ）フィルタと、
２つの部分帯域送信（ＴＸ）フィルタとを含み、
第１の部分帯域受信（ＲＸ）フィルタが第１の部分帯域送信（ＴＸ）フィルタに接続され、第２の部分帯域受信（ＲＸ）フィルタが第２の部分帯域送信（ＴＸ）フィルタに接続され、
第１の無線基地局は、前記部分帯域デュープレックスフィルタの中の前記第１の部分帯域受信（ＲＸ）フィルタと前記第１の部分帯域送信（ＴＸ）フィルタとに接続されたデュープレックスフィルタを内蔵し、
第２の無線基地局は、前記部分帯域デュープレックスフィルタの中の前記第２の部分帯域受信（ＲＸ）フィルタと前記第２の部分帯域送信（ＴＸ）フィルタとに接続されたデュープレックスフィルタを内蔵していることを特徴とする請求項１１に記載の方法。
【請求項１５】
前記少なくとも２つの無線基地局を備える工程は、前記少なくとも２つの無線基地局に新しい無線基地局を付加する工程を含み、
前記付加する工程において、
前記部分帯域デュープレックスフィルタはさらに、
第３の部分帯域受信（ＲＸ）フィルタと、
第３の部分帯域送信（ＴＸ）フィルタとを含み、
前記第３の部分帯域受信（ＲＸ）フィルタは前記第３の部分帯域送信（ＴＸ）フィルタに接続され、
前記新しい無線基地局は、前記部分帯域デュープレックスフィルタの中の前記第３の部分帯域受信（ＲＸ）フィルタと前記第３の部分帯域送信（ＴＸ）フィルタとに接続されたデュープレックスフィルタを内蔵していることを特徴とする請求項１４に記載の方法。
【請求項１６】
前記フィルタユニットは、
前記アンテナに結合されたダイプレックス・デュープレックスフィルタを含み、
前記ダイプレックス・デュープレックスフィルタは、
２つの全帯域受信（ＲＸ）フィルタと、
２つの部分帯域送信（ＴＸ）フィルタとを含み、
第１の全帯域受信（ＲＸ）フィルタは第１の部分帯域送信（ＴＸ）フィルタに接続され、第２の全帯域受信（ＲＸ）フィルタは第２の部分帯域送信（ＴＸ）フィルタに接続され、
第１の無線基地局は、前記ダイプレックス・デュープレックスフィルタ中の前記第１の全帯域受信（ＲＸ）フィルタと前記第１の部分帯域送信（ＴＸ）フィルタとに接続されたデュープレックスフィルタを内蔵しており、
前記第１の無線基地局は、前記第１の全帯域受信（ＲＸ）フィルタから受信した受信（ＲＸ）信号を前記ダイプレックス・デュープレックスフィルタの中の前記第２の全帯域受信（ＲＸ）フィルタへ接続するスプリッタとのインタフェースをもち、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵していることを特徴とする請求項１１に記載の方法。
【請求項１７】
前記少なくとも２つの無線基地局を備える工程は、前記少なくとも２つの無線基地局に新しい無線基地局を付加する工程を含み、
前記付加する工程において、
前記ダイプレックス・デュープレックスフィルタはさらに、
第３の全帯域受信（ＲＸ）フィルタと
第３の部分帯域送信（ＴＸ）フィルタとを更に含み、
前記第３の全帯域受信（ＲＸ）フィルタは前記第３の部分帯域送信（ＴＸ）フィルタに接続され、
前記新しい無線基地局は、前記ダイプレックス・デュープレックスフィルタの中の前記第３の全帯域受信（ＲＸ）フィルタと前記第３の部分帯域送信（ＴＸ）フィルタに接続されたデュープレックスフィルタを内蔵しており、
前記第３の全帯域受信（ＲＸ）フィルタは前記アンテナに接続されるのではなく、代わりに前記スプリッタからの前記受信（ＲＸ）信号を受信することを特徴とする請求項１６に記載の方法。
【請求項１８】
前記フィルタユニットは、
前記アンテナに結合されたダイプレックス・デュープレックスフィルタを含み、
前記ダイプレックス・デュープレックスフィルタは、
２つの全帯域受信（ＲＸ）フィルタと、
２つの部分帯域送信（ＴＸ）フィルタとを含み、
第２の全帯域受信（ＲＸ）フィルタは第２の部分帯域送信（ＴＸ）フィルタに接続され、
第１の無線基地局は、低雑音増幅器を通して第１の全帯域受信（ＲＸ）フィルタに接続され、前記ダイプレックス・デュープレックスフィルタの中の第１の部分帯域送信（ＴＸ）フィルタにも接続されたデュープレックスフィルタを内蔵し、
前記低雑音増幅器は、前記第１の全帯域受信（ＲＸ）フィルタから受信した受信（ＲＸ）信号を前記ダイプレックス・デュープレックスフィルタの中の前記第２の全帯域受信（ＲＸ）フィルタに接続し、
前記第２の全帯域受信（ＲＸ）フィルタは前記アンテナには結合されず、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵することを特徴とする請求項１１に記載の方法。
【請求項１９】
前記少なくとも２つの無線基地局を備える工程は、前記少なくとも２つの無線基地局に新しい無線基地局を付加する工程を含み、
前記付加する工程において、
前記ダイプレックス・デュープレックスフィルタは、
第３の全帯域受信（ＲＸ）フィルタと、
第３の部分帯域送信（ＴＸ）とを含み、
前記第３の全帯域受信（ＲＸ）フィルタは前記第３の部分帯域送信（ＴＸ）フィルタに接続され、
第３の無線基地局は、前記ダイプレックス・デュープレックスフィルタの中の前記第３の全帯域受信（ＲＸ）フィルタと前記第３の部分帯域送信（ＴＸ）フィルタとに接続されたデュープレックスフィルタを内蔵し、
前記第３の全帯域受信（ＲＸ）フィルタは前記アンテナには接続されず、代わりに前記低雑音増幅器から前記受信（ＲＸ）信号を受信することを特徴とする請求項１８記載の方法。
【請求項２０】
前記無線標準方式は、
時分割多元接続（ＴＤＭＡ）と、
符号分割多元接続（ＣＤＭＡ）と、
広帯域符号分割多元接続（ＷＣＤＭＡ）と、
汎欧州デジタル移動電話方式（ＧＳＭ）とを含むことを特徴とする請求項１１に記載の方法。
【請求項２１】
複数の無線基地局に夫々が内蔵された複数のデュープレックスフィルタに接続されたフィルタユニットに接続されたアンテナであって、
たとえ前記複数の無線基地局が周波数帯域を共有し、たとえ前記複数の無線基地局が異なる無線標準方式で動作しても、前記複数の無線基地局は前記アンテナを共有することを特徴とするアンテナ。
【請求項２２】
前記フィルタユニットは、
前記アンテナと結合したダイプレックスフィルタと、
第１のデュープレックスフィルタとを含み、
前記ダイプレックスフィルタは、
全帯域受信（ＲＸ）フィルタと、
２つの部分帯域送信（ＴＸ）フィルタとを含み、
前記全帯域受信（ＲＸ）フィルタが第１の部分帯域送信（ＴＸ）フィルタに接続され、
前記第１のデュープレックスフィルタは、
前記ダイプレックスフィルタの中の第２の部分帯域送信（ＴＸ）フィルタに接続され送信フィルタと、
受信フィルタとを含み、
第１の無線基地局は、前記ダイプレックスフィルタの中の前記全帯域受信（ＲＸ）フィルタと前記第１の部分帯域送信（ＴＸ）フィルタとに接続されたデュープレックスフィルタを内蔵し、
前記第１の無線基地局は、前記ダイプレックスフィルタの中の前記全帯域受信（ＲＸ）フィルタから受信した受信（ＲＸ）信号を前記第１のデュープレックスフィルタの中の前記受信フィルタに接続するスプリッタとのインタフェースともち、
前記第２の無線基地局は、前記第１のデュープレックスフィルタの中の前記送信フィルタと前記受信フィルタとに接続されたデュープレックスフィルタを内蔵していることを特徴としている請求項２１記載のアンテナ。
【請求項２３】
前記ダイプレックスフィルタは、
第３の部分帯域送信（ＴＸ）フィルタと、
第２のデュープレックスフィルタとを含み、
前記第２のデュープレックスフィルタは、
前記ダイプレックスフィルタの中の前記第３の部分帯域送信（ＴＸ）フィルタに接続している送信フィルタと、
受信フィルタとを含み、
第３の無線基地局は、前記スプリッタからの前記受信（ＲＸ）信号を受信する前記受信フィルタを有している前記第２のデュープレックスフィルタの中の前記送信フィルタと前記受信フィルタとに接続されるデュープレックスを内蔵していることを特徴とする請求項２２に記載のアンテナ。
【請求項２４】
前記フィルタユニットは、
前記アンテナと結合された部分帯域デュープレックスフィルタを含み、
前記部分帯域デュープレックスフィルタは、
２つの部分帯域受信（ＲＸ）フィルタと、
２つの部分帯域送信（ＴＸ）フィルタとを含み、
第１の部分帯域受信（ＲＸ）フィルタは第１の部分帯域送信（ＴＸ）フィルタに接続され、第２の部分帯域受信（ＲＸ）フィルタが第２の部分帯域送信（ＴＸ）フィルタに接続されており、
第１の無線基地局は、前記部分帯域デュープレックスフィルタの中の前記第１の部分帯域受信（ＲＸ）フィルタと前記第１の部分帯域送信（ＴＸ）フィルタとに接続されたデュープレックスフィルタを内蔵し、
第２の無線基地局は、前記部分帯域デュープレックスフィルタの中の前記第２の部分帯域受信（ＲＸ）フィルタと前記第２の部分帯域送信（ＴＸ）フィルタとに接続されたデュープレックスフィルタを内蔵していることを特徴とする請求項２１に記載のアンテナ。
【請求項２５】
前記部分帯域デュープレックスフィルタはさらに、
第３の部分帯域受信（ＲＸ）フィルタと、
第３の部分帯域送信（ＴＸ）フィルタとを含み、
前記第３の部分帯域受信（ＲＸ）フィルタは前記第３の部分帯域送信（ＴＸ）フィルタにされ、前記第３の部分帯域受信（ＲＸ）フィルタは、前記部分帯域デュープレックスフィルタの中の前記第３の部分帯域受信（ＲＸ）フィルタと前記第３の部分帯域送信（ＴＸ）フィルタとに接続されたデュープレックスフィルタを内蔵していることを特徴とする請求項２４に記載のアンテナ。
【請求項２６】
前記フィルタユニットは、
アンテナと、
前記アンテナに結合されたダイプレックス・デュープレックスフィルタとを有し、
前記ダイプレックス・デュープレックスフィルタは、
２つの全帯域受信（ＲＸ）フィルタと、
２つの部分帯域送信（ＴＸ）フィルタとを含み、
第１の全帯域受信（ＲＸ）フィルタは第１の部分帯域送信（ＴＸ）フィルタに接続され、第２の全帯域受信（ＲＸ）フィルタは第２の部分帯域送信（ＴＸ）フィルタに接続され、
第１の無線基地局は、前記ダイプレックス・デュープレックスフィルタの中の前記第１の全帯域受信（ＲＸ）フィルタと前記第１の部分帯域送信（ＴＸ）フィルタとに接続されたデュープレックスフィルタを内蔵し、
前記第１の無線基地局は、前記第１の全帯域受信（ＲＸ）フィルタから受信した受信（ＲＸ）信号を前記ダイプレックス・デュープレックスフィルタの中の前記第２の全帯域受信（ＲＸ）フィルタに接続するスプリッタとのインタフェースをもち、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵していることを特徴とする請求項２１に記載のアンテナ。
【請求項２７】
前記ダイプレックス・デュープレックスフィルタはさらに、
第３の全帯域受信（ＲＸ）フィルタと、
第３の部分帯域送信（ＴＸ）フィルタとを含み、
前記第３の全帯域受信（ＲＸ）フィルタは前記第３の部分送信（ＲＸ）フィルタに接続され、
第３の無線基地局は、前記ダイプレックス・デュープレックスフィルタの中の前記第３の全帯域受信（ＲＸ）フィルタと前記第３の部分帯域送信（ＴＸ）フィルタとに接続されたデュープレックスフィルタを内蔵し、前記第３の全帯域受信（ＲＸ）フィルタは前記アンテナには接続されず、代わりに前記スプリッタからの前記受信（ＲＸ）信号を受信することを特徴とする請求項２６に記載のアンテナ。
【請求項２８】
前記フィルタユニットは、
前記アンテナに結合されたダイプレックス・デュープレックスフィルタを含み、
前記ダイプレックス・デュープレックスフィルタは、
２つの全帯域受信（ＲＸ）フィルタと、
２つの部分帯域送信（ＴＸ）フィルタとを含み、
第２の全帯域受信（ＲＸ）フィルタは第２の部分帯域送信（ＴＸ）フィルタに接続され、
第１の無線基地局は、低雑音増幅器を通して第１の全帯域受信（ＲＸ）フィルタに接続され、前記ダイプレックス・デュープレックスフィルタの中の第１の部分帯域送信（ＴＸ）フィルタにも接続されたデュープレックスフィルタを内蔵し、
前記低雑音増幅器は、前記第１の全帯域受信（ＲＸ）フィルタから受信した受信（ＲＸ）信号を前記ダイプレックス・デュープレックスフィルタの中の第２の全帯域受信（ＲＸ）フィルタへ接続され、前記第２の全帯域受信（ＲＸ）フィルタは前記アンテナには結合されておらず、
第２の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵することを特徴とする請求項２１に記載のアンテナ。
【請求項２９】
前記ダイプレックス・デュープレックスフィルタはさらに、
第３の全帯域受信（ＲＸ）フィルタと、
第３の部分帯域送信（ＴＸ）フィルタとを含み、
前記第３の全帯域受信（ＲＸ）フィルタは前記第３の部分帯域送信（ＴＸ）フィルタに接続され、
第３の無線基地局は、前記ダイプレックス・デュープレックスフィルタの中の前記第３の全帯域受信（ＲＸ）フィルタと前記第３の部分帯域送信（ＴＸ）フィルタとに接続されたデュープレックスフィルタを内蔵し、前記第３の全帯域受信（ＲＸ）フィルタは前記アンテナには接続されず、代わりに前記低雑音増幅器から前記受信（ＲＸ）信号を受信することを特徴とする請求項２８に記載のアンテナ。
【請求項３０】
前記無線標準方式は、
時分割多元接続（ＴＤＭＡ）と、
符号分割多元接続（ＣＤＭＡ）と、
広帯域符号分割多元接続（ＷＣＤＭＡ）と、
汎欧州デジタル移動電話方式（ＧＳＭ）とを含むことを特徴とする請求項２１に記載のアンテナ。
【請求項３１】
無線基地局であって、
アンテナに結合されたフィルタユニットに接続されたデュープレックスフィルタを有し、
別の無線基地局も前記フィルタユニットに結合されたデュープレックスフィルタを内蔵し、
前記複数の無線基地局がたとえ周波数帯域を共有し、更には異なる無線標準方式で動作するとしても、前記複数の無線基地局は前記アンテナを共有することができることを特徴とする無線基地局。
【請求項３２】
前記フィルタユニットは、
前記アンテナと結合されたダイプレックスフィルタと、
第１のデュープレックスフィルタとを含み、
前記ダイプレックスフィルタは、
全帯域受信（ＲＸ）フィルタと、
２つの部分帯域送信（ＴＸ）フィルタとを含み、
前記全帯域受信（ＲＸ）フィルタは第１の部分帯域送信（ＴＸ）フィルタに接続され、
前記第１のデュープレックスフィルタは、
前記ダイプレックスフィルタの中の第２の部分帯域送信（ＴＸ）フィルタに接続されたしている送信（ＴＸ）フィルタと、
受信（ＲＸ）フィルタとを含み、
前記無線基地局は、前記ダイプレックスフィルタの中の前記全帯域受信（ＲＸ）フィルタと前記第１の部分帯域送信（ＴＸ）フィルタとに接続されたデュープレックスフィルタを内蔵し、
前記無線基地局は、前記ダイプレックスフィルタの中の前記全帯域受信（ＲＸ）フィルタから受信した受信（ＲＸ）信号を前記第１のデュープレックスフィルタの中の前記受信（ＲＸ）フィルタへ接続するスプリッタとのインタフェースをもち、
前記別の無線基地局は、前記第１のデュープレックスフィルタの中の前記送信フィルタと前記受信フィルタとに接続されたデュープレックスフィルタを内蔵することを特徴とする請求項３１に記載の無線基地局。
【請求項３３】
前記フィルタユニットは、
前記アンテナと結合している部分帯域デュープレックスフィルタを含み、
前記部分帯域デュープレックスフィルタは、
２つの部分帯域受信（ＲＸ）フィルタと、
２つの部分帯域送信（ＴＸ）フィルタとを含み、
第１の部分帯域受信（ＲＸ）フィルタが第１の部分帯域送信（ＴＸ）フィルタに接続され、第２の部分帯域受信（ＲＸ）フィルタが第２の部分帯域送信（ＴＸ）フィルタに接続され、
前記初めの無線基地局は、前記部分帯域デュープレックスフィルタの中の前記第１の部分帯域受信（ＲＸ）フィルタと前記第１の部分帯域送信（ＴＸ）フィルタとに接続されたデュープレックスフィルタを内蔵し、
前記別の無線基地局は、前記部分帯域デュープレックスフィルタの中の前記第２の部分帯域受信（ＲＸ）フィルタと前記第２の部分帯域送信（ＴＸ）フィルタとに接続されたデュープレックスフィルタを内蔵することを特徴とする請求項３１に記載の無線基地局。
【請求項３４】
前記フィルタユニットは、
前記アンテナに結合されたダイプレックス・デュープレックスフィルタと、
２つの全帯域受信（ＲＸ）フィルタと、
２つの部分帯域送信（ＴＸ）フィルタとを含み、
第１の全帯域受信（ＲＸ）フィルタが第１の部分帯域送信（ＴＸ）フィルタに接続され、第２の全帯域受信（ＲＸ）フィルタが第２の部分帯域送信（ＴＸ）フィルタに接続され、
前記無線基地局は、前記ダイプレックス・デュープレックスフィルタの中の前記第１の全帯域受信（ＲＸ）フィルタと前記第１の部分帯域送信（ＴＸ）フィルタとに接続されたデュープレックスフィルタを内蔵し、
前記無線基地局は、前記第１の全帯域受信（ＲＸ）フィルタから受信した受信（ＲＸ）信号を前記ダイプレックス・デュープレックスフィルタの中の前記第２の全帯域受信（ＲＸ）フィルタへ接続するスプリッタとのインタフェースをもち、
前記別の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵することを特徴とする請求項３１に記載の無線基地局。
【請求項３５】
前記フィルタユニットは、
前記アンテナに結合されたダイプレックス・デュープレックスフィルタとを含み、
前記ダイプレックス・デュープレックスフィルタは、
２つの全帯域受信（ＲＸ）フィルタと、
２つの部分帯域送信（ＴＸ）フィルタと
を含み、
第２の全帯域受信（ＲＸ）フィルタは第２の部分帯域送信（ＴＸ）フィルタに接続され、
前記初めの無線基地局は、低雑音増幅器を介して第１の全帯域受信（ＲＸ）フィルタに接続され、前記ダイプレックス・デュープレックスフィルタの中の第１の部分帯域送信（ＴＸ）フィルタにも接続されたデュープレックスフィルタを内蔵し、
前記低雑音増幅器は、前記第１の全帯域受信（ＲＸ）フィルタから受信した受信（ＲＸ）信号を前記ダイプレックス・デュープレックスフィルタの中の前記第２の全帯域受信（ＲＸ）フィルタへ接続し、前記第２の全帯域受信（ＲＸ）フィルタはアンテナには結合されず、
前記別の無線基地局は、前記ダイプレックス・デュープレックスフィルタの中の前記第２の全帯域受信（ＲＸ）フィルタと前記第２の部分帯域送信（ＴＸ）フィルタとに接続されたデュープレックスフィルタを内蔵することを特徴とする請求項３１に記載の無線基地局。
【請求項３６】
前記無線標準方式は、
時分割多元接続（ＴＤＭＡ）と、
符号分割多元接続（ＣＤＭＡ）と、
広帯域符号分割多元接続（ＷＣＤＭＡ）と、
汎欧州デジタル移動電話方式（ＧＳＭ）とを含むことを特徴とする請求項３１に記載の無線基地局。
【発明の詳細な説明】
【技術分野】
【０００１】
本発明は一般的には通信の分野に関係し、特に、複数の無線基地局（ＲＢＳ）が周波数帯域を共有するか、異なる無線標準方式で動作することの内、少なくともいずれかであったとしても、１つのアンテナを共有することができる多数の無線基地局を含む送受信機システムに関する。
【背景技術】
【０００２】
運用者が２つ以上のＲＢＳを送受信機システムに設置したり、または、新たなＲＢＳを送受信機システムに追加するときは、その運用者は複数のＲＢＳが同じアンテナシステムを共有できることを望むことはよく知られている。同じアンテナを共有する多数の無線基地局を持つ従来の送受信機システムの１例を図１を参照して、以下に簡単に検討する。
【０００３】
図１には、特許文献１に記載の送受信機システム１００のブロック図が示されている。従来の送受信機システム１００はそれぞれがＴＡＣＳ、ＥＴＡＣＳ、及びＧＳＭのような異なるタイプの無線システムに属するいくつかの基地局（ＢＳ１、ＢＳ２、ＢＳ３……ＢＳｎ）を含んでいる。基地局（ＢＳ１、ＢＳ２、ＢＳ３……ＢＳｎ）はフィルタ手段１０２に結合しており、その手段は今度はアンテナに結合している。フィルタ手段１０２は基地局（ＢＳ１、ＢＳ２、ＢＳ３……ＢＳｎ）から送信（ＴＸ）ケーブル１０６を経て送られてきた送信（ＴＸ）信号をフィルタにかけて、通過した送信（ＴＸ）信号をアンテナ１０４に送る。フィルタ手段１０２はまたアンテナ１０４によって受信した受信（ＲＸ）信号をフィルタにかける。通過した受信（ＲＸ）信号はその後、分割器ユニット１０８に送られる。分割器ユニット１０８はフィルタを通過した受信（ＲＸ）信号を分割してフィルタを通過した別々の受信（ＲＸ）信号を受信（ＲＸ）ケーブル１１０を経て基地局（ＢＳ１、ＢＳ２、ＢＳ３……ＢＳｎ）に送られる。この特定の送受信機システム１００の欠点とは、アンテナ１０４を共有するために各基地局（ＢＳ１、ＢＳ２、ＢＳ３……ＢＳｎ）が２本のケーブル、即ち、送信ケーブル１０６と受信ケーブル１１０を必要とすることであり、これは送受信機システム１００の複雑さを増し、価格を上昇させることである。なお、特許文献２には送受信機システム１００と同様の同じ欠点をもつ送受信機システムが開示されている。
【特許文献１】国際公開第９２／１２５７９号パンフレット
【特許文献２】米国特許第５，７８１，８６５号明細書
【発明の開示】
【発明が解決しようとする課題】
【０００４】
従って、従来の送受信機システム１００に関する上記欠点を扱い、それを解決する送受信機システムが必要となる。このこと及びその他の要求事項が本発明の送受信機システムでは考慮される事柄である。
【課題を解決するための手段】
【０００５】
本発明は多数の無線基地局（ＲＢＳ）に接続するフィルタ構造に結合する１つのアンテナを持った送受信機システムを含む。各ＲＢＳはそのフィルタ構造に接続するために１つの送受信（ＴＸ／ＲＸ）ケーブルと、必要なら受信（ＲＸ）ケーブルを用いる。複数のＲＢＳが１つのアンテナを共有可能とするため、各ＲＢＳはデュープレックスフィルタを内蔵する。そして、そのフィルタ構造は、（１つ以上の）ダイプレックスフィルタと、（１つ以上の）デュープレックスフィルタと、（１つ以上の）部分帯域デュープレックスフィルタと、（１つ以上の）ダイプレックス・デュープレックスフィルタと、（１つ以上の）スプリッタと、（１つ以上の）低雑音増幅器との内、少なくともいずれかから選んだ特定の組み合わせを持つ。複数のＲＢＳが同じ周波数帯域を共有することや、複数のＲＢＳが（例えば、ＴＤＭＡ、ＣＤＭＡ、ＷＣＤＭＡ、及びＧＳＭのような）異なる無線標準方式で動作することの内、少なくともいずれかのことがあるとしても、複数のＲＢＳが１つのアンテナを共有可能とするために、そのフィルタ構造がどのように構成されるかについて、送受信機システムの４つの代表的な実施例を以下に説明する。ここに記述する本発明は （１）送受信機システムを構築する方法、（２）無線基地局、及び（３）アンテナも含んでいる。
【０００６】
添付図面を参照して以下の詳細な説明によって本発明のより完全な理解が得られるであろう。
【発明を実施するための最良の形態】
【０００７】
図２を参照すると、本発明に従う、１つのアンテナを共有する多数の無線基地局（ＲＢＳ１、ＲＢＳ２……ＲＢＳｎ）を有する送受信機システム２００の基本構成要素を示すブロック図が示されている。図示のように、送受信機システム２００はアンテナ２０２を含んでいて、そのアンテナはフィルタ構造２０４に接続していて、そのフィルタ構造は今度は多数の無線基地局（ＲＢＳ１、ＲＢＳ２……ＲＢＳｎ）に接続している。各ＲＢＳ（ＲＢＳ１、ＲＢＳ２……ＲＢＳｎ）はフィルタ構造２０４に接続するために１本の送受信（ＴＸ／ＲＸ）ケーブル２０６、そして、もし必要なら１本の受信（ＲＸ）ケーブル２０７を用いる。複数のＲＢＳ（ＲＢＳ１、ＲＢＳ２……ＲＢＳｎ）が１つのアンテナを共有可能とするために、各ＲＢＳ（ＲＢＳ１、ＲＢＳ２……ＲＢＳｎ）はデュープレックスフィルタを内蔵している。そして、フィルタ構造２０４は、（１つ以上の）ダイプレックスフィルタと、（１つ以上の）デュープレックスフィルタと、（１つ以上の）部分帯域デュープレックスフィルタと、（１つ以上の）ダイプレックス・デュープレックスフィルタと、（１つ以上の）スプリッタと、（１つ以上の）低雑音増幅器との内、少なくともいずれかから選んだ特定の組み合わせを持つ。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ，ＣＤＭＡ，ＷＣＤＭＡ，及びＧＳＭのような）異なる無線標準方式で動作することの内、少なくともいずれかのことがあるとしても、複数のＲＢＳ（ＲＢＳ１、ＲＢＳ２……ＲＢＳｎ）が１つのアンテナを共有可能とするために、フィルタ構造２０４がどのように構成されるべきかについて、図３〜図６を用いて、４つの異なる例を以下に説明する。
【０００８】
図３Ａと図３Ｂを参照すると、本発明に従う送受信機システム２００ａの第１実施例に関する２つの図が示されている。図３Ａに示すように、複数のＲＢＳ（ＲＢＳ１、ＲＢＳ２……ＲＢＳｎ）各々は、２つの分岐（分岐Ａと分岐Ｂ）を持っている。このようになるのは、送受信機システム２００ａは適当な“ＲＸダイバシティ利得”を得るために、通常、３つのセクタをもち、各セクタは通常、２つの別々のアンテナ２０２ａ’、２０２ａ”と別々のＲＸ分岐を持つからである。“ＲＸダイバシティ利得”が必要な訳は、自然界では無線信号が（例えば、ビルや山など）いろいろなものに“跳ね返り”、これが厄介なマルチパスフェーディングを引き起こすという事実による。そして、マルチパスフェーディングの影響を低減するための１つの方法は、２つ以上のアンテナ２０２ａ’、２０２ａ”を設置することである。アンテナ２０２ａ’、２０２ａ”は相互に３〜４ｍ離れて設置されたり、または、アンテナ２０２ａ’、２０２ａ”は相互に９０度の位相差を持つように作られる。しかしながら、この送受信機システム２００ａ、またはここに記述する他のいずれの送受信機システムも送受信機システム２００に示すのと同様に（図２参照）、１つだけの分岐と１つのアンテナを有するだけでよいということは認識すべきである。
【０００９】
明解な説明のために、送受信機システム２００ａの分岐Ａを最初に説明し、その後、分岐Ａと実質的には同じフィルタ構造を持っている分岐Ｂについて簡単に説明する。図３Ａに示すように、送受信機システム２００ａはフィルタ構造２０４ａ’へ結合しているアンテナ２０２ａ’を含んでいる。フィルタ構造２０４ａ’は多数の無線基地局（ＲＢＳ１、ＲＢＳ２……ＲＢＳｎ）の分岐Ａに接続している。各ＲＢＳ（ＲＢＳ１、ＲＢＳ２……ＲＢＳｎ）は、１本の送受信（ＴＸ／ＲＸ）ケーブル２０６ａと、そして、必要なら１本の受信（ＲＸ）ケーブル２０７ａを使って、フィルタ構造２０４ａ’へ接続する。複数のＲＢＳ（ＲＢＳ１、ＲＢＳ２……ＲＢＳｎ）が１つのアンテナ２０２ａ’を共有可能とするために、各ＲＢＳ（ＲＢＳ１、ＲＢＳ２……ＲＢＳｎ）は、デュープレックスフィルタ２０８ａを内蔵している。そして、フィルタ構造２０４ａ’は、この実施例では、ダイプレックスフィルタ３０２と、１つ以上のデュープレックスフィルタ３０４と３０５と、スプリッタ３０６を含んだユニークな構成をしている。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ，ＣＤＭＡ，ＷＣＤＭＡ，及びＧＳＭのような）異なる無線標準方式で動作することの内、少なくともいずれかのことがあるとしても、複数のＲＢＳ（ＲＢＳ１、ＲＢＳ２……ＲＢＳｎ）が１つのアンテナ２０２ａ’を共有可能とするために、フィルタ構造２０４ａ’がどのように構成されるかについて、次に詳しく説明する。
【００１０】
送受信機システム２００ａに示されたＲＢＳ１とＲＢＳ２に関するフィルタ構成要素を参照すると、フィルタ構造２０４ａ’は、ダイプレックスフィルタ３０２と、デュープレックスフィルタ３０４と、スプリッタ３０６とを含んでいる。ダイプレックスフィルタ３０２は、１つの全帯域受信（ＲＸ）フィルタ３０８と、２つの部分帯域送信（ＴＸ）フィルタ３１０と３１２とを含んでいる。見て分かるとおり、全帯域受信（ＲＸ）フィルタ３０８は、部分帯域送信（ＴＸ１）フィルタ３１０に接続している。デュープレックスフィルタ３０４は、受信（ＲＸ）フィルタ３１４と送信（ＴＸ）フィルタ３１６とを含んでいる。送信（ＴＸ）フィルタ３１６は、ダイプレックスフィルタ３０２の中に位置する部分帯域送信（ＴＸ２）フィルタ３１２に接続している。第１のＲＢＳ１と、特に、そこに内蔵されたデュープレックスフィルタ２０８ａは、１本の送受信（ＴＸ／ＲＸ）ケーブル２０６ａを用いて、ダイプレックスフィルタ３０２の中の全帯域受信（ＲＸ）フィルタ３０８と第１の部分帯域送信（ＴＸ１）フィルタ３１０に接続されている。加えて、第１のＲＢＳ１はまた、ＬＮＡ３１８と、受信（ＲＸ）ケーブル２０７ａを経由してスプリッタ３０６とのインタフェースをもつカップラ３２０とを含んでもいる。このように、スプリッタ３０６は、ダイプレックスフィルタ３０２の中の全帯域受信（ＲＸ）フィルタ３０８から受信した受信（ＲＸ）信号をデュープレックスフィルタ３０４の中の受信（ＲＸ）フィルタ３１４へ接続する。１つ以上のＲＢＳが送受信機システム２００ａに共存するときにはスプリッタ３０６が用いられるということを認識すべきである。第２のＲＢＳ２と、特に、そこに内蔵されたデュープレックスフィルタ２０８ａはデュープレックスフィルタ３０４へ接続するために１本の送受信（ＴＸ／ＲＸ）ケーブル２０６ａを用いる。ＲＢＳ２もＬＮＡ３１８を含んでいる。このフィルタ構造を見ると、ＲＢＳ１は、アンテナ２０２ａ’に加えられた受信（ＲＸ）信号をスプリッタ３０６を介して受信することができ、ＴＸ１帯域内の送信（ＴＸ）信号をアンテナ２０２ａ’を用いて送信することができる。一方、ＲＢＳ２は、アンテナ２０２ａ’に加えられた受信（ＲＸ）信号を受信することができ、また、ＴＸ２帯域内の送信（ＴＸ）信号をアンテナ２０２ａ’を用いて送信することができる。
【００１１】
ＲＢＳ１とＲＢＳ２とに加えて、送受信機システム２００ａの中にあるか、或は、そのシステムに付加される各ＲＢＳに関して、フィルタ構造２０４ａ’と、特にダイプレックスフィルタ３０２は、（ＴＸ３フィルタ３２２として示されている）もうひとつの部分帯域送信（ＴＸ）フィルタ３２２を含んでいる。部分帯域送信（ＴＸ）フィルタ３２２はアンテナ２０２ａ’に接続される。フィルタ構造２０４ａ’はまた、もう１つのデュープレックスフィルタ３０５を含んでいる。デュープレックスフィルタ３０５は、受信（ＲＸ）フィルタ３２４と送信（ＴＸ）フィルタ３２６を含んでいる。送信（ＴＸ）フィルタ３２６は、ダイプレックスフィルタ３０２の中の部分帯域送信（ＴＸ）フィルタ（ＴＸ３）３２２に接続している。（ＲＢＳｎと示される）付加されたＲＢＳと、特にそこに内蔵されるデュープレックスフィルタ２０８ａは、１本の送受信（ＴＸ／ＲＸ）ケーブル２０６ａを用いてデュープレックスフィルタ３０５に接続する。ＲＢＳｎもＬＮＡ３１８を含む。このフィルタ構造を見ると、ＲＢＳｎはアンテナ２０２ａ’に加えられた受信（ＲＸ）信号をスプリッタ３０６を介して受信でき、またＴＸ３帯域内の送信（ＴＸ）信号をアンテナ２０２ａ’を用いて送信できる。フィルタ構造２０４ａ’に関係したのと同じフィルタ系がアンテナ２０２ａ”を共有する複数のＲＢＳ（ＲＢＳ１、ＲＢＳ２……ＲＢＳｎ）の分岐Ｂと関係するフィルタ構造２０４ａ”を形成するために用いられる。
【００１２】
図３Ｂを参照すると、送受信機システム２００ａに於けるアンテナ２０２ａ’と２０２ａ”のそれぞれに対して周波数割り当ての例を示す図が示されている。適切な受信フィルタと送信フィルタを選択するだけで、複数のＲＢＳ（ＲＢＳ１、ＲＢＳ２……ＲＢＳｎ）が同じ周波数帯域を共有することができ、（例えば、ＴＤＭＡ、ＣＤＭＡ、ＷＣＤＭＡ、及びＧＳＭのような）異なる無線標準方式で動作することができるのはどのようにしてかを見て取ることができる。例えば、ＲＢＳ１の分岐ＡはＴＸ１を用いて１つの標準方式で動作する一方、ＲＢＳ１の分岐Ｂは同じまたは別の標準方式でＴＸ４を用いて動作できることが見て取れる。そして、ＲＢＳ１の分岐ＡとＲＢＳ１の分岐Ｂは、両方が同じ受信帯域を持つので、受信（ＲＸ）ダイバシティ方式を用いることが理解できる。更に、もし、複数のＲＢＳ（ＲＢＳ１、ＲＢＳ２……ＲＢＳｎ）が異なる標準方式を用いるなら、送信（ＴＸ）帯域を分離するために周波数割り当てに保護帯域を設けなければならない。さもなければ、送信間の相互作用が発生するであろう。このような保護帯域は非常に狭くはしたいが、挿入損失と保護帯域減衰のトレードオフの関係が発生する。
【００１３】
図４Ａと図４Ｂを参照すると、本発明に従う送受信機システム２００ｂの第２実施例に関する２つの図が示されている。本発明の第１実施例と同様に、送受信機システム２００ｂ、特に複数のＲＢＳ（ＲＢＳ１、ＲＢＳ２……ＲＢＳｎ）各々は、２つの分岐（分岐Ａと分岐Ｂ）を持っている。明解な説明のために、送受信機システム２００ｂの分岐Ａを最初に説明して、その後、分岐Ａと実質的には同じフィルタ構造を持っている分岐Ｂについて簡単に説明する。
【００１４】
図４Ａに示すように、送受信機システム２００ｂはフィルタユニット２０４ｂ’へ結合しているアンテナ２０２ｂ’を含む。フィルタユニット２０４ｂ’は多数の無線基地局（ＲＢＳ１、ＲＢＳ２……ＲＢＳｎ）の分岐Ａに接続している。各ＲＢＳ（ＲＢＳ１、ＲＢＳ２……ＲＢＳｎ）は、１本の送受信（ＴＸ／ＲＸ）ケーブル２０６ｂを使ってフィルタユニット２０４ｂ’へ接続している。複数のＲＢＳ（ＲＢＳ１、ＲＢＳ２……ＲＢＳｎ）が１つのアンテナ２０２ｂ’を共有可能とするために、各ＲＢＳ（ＲＢＳ１、ＲＢＳ２……ＲＢＳｎ）は、デュープレックスフィルタ２０８ｂを内蔵する。そして、フィルタユニット２０４ｂ’は、この実施例では、部分帯域デュープレックスフィルタ４０２を含むユニークな構成をしている。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ、ＣＤＭＡ、ＷＣＤＭＡ、及びＧＳＭのような）異なる無線標準方式で動作することの内、少なくともいずれかのことがあるとしても、複数のＲＢＳ（ＲＢＳ１、ＲＢＳ２……ＲＢＳｎ）が１つのアンテナ２０２ｂ’を共有可能とするために、フィルタユニット２０４ｂ’がどのように構成されるかについて、次に詳しく説明する。
【００１５】
送受信機システム２００ｂに示されたＲＢＳ１とＲＢＳ２に関するフィルタ構成要素を参照すると、フィルタユニット２０４ｂ’はアンテナ２０２ｂ’に結合した部分帯域デュープレックスフィルタ４０２を含む。部分帯域デュープレックスフィルタ４０２は、２つの部分帯域受信（ＲＸ）フィルタ４０４と４０６と、２つの部分帯域送信（ＴＸ）フィルタ４０８と４１０とを含む。見て分かるとおり、第１の部分帯域受信フィルタ（ＲＸ１）４０４は第１の部分帯域送信フィルタ（ＴＸ１）４０８に接続している。そして、第２の部分帯域受信フィルタ（ＲＸ２）４０６は、第２の部分帯域送信フィルタ（ＴＸ２）４１０に接続している。第１のＲＢＳ１と、特に、そこに内蔵されているデュープレックスフィルタ２０８ｂは、１本の送受信（ＴＸ／ＲＸ）ケーブル２０６ｂを用いて、部分帯域デュープレックスフィルタ４０２の中の第１の部分帯域受信フィルタ（ＲＸ１）４０４と第１の部分帯域送信フィルタ（ＴＸ１）４０８に接続する。加えて、第１のＲＢＳ１はデュープレックスフィルタ２０８ｂに接続しているＬＮＡ４１２を含む。第２のＲＢＳ２と、特に、そこに内蔵されたデュープレックスフィルタ２０８ｂは、部分帯域デュープレックスフィルタ４０２の中の第２の部分帯域受信フィルタ（ＲＸ２）４０６と第２の部分帯域送信フィルタ（ＴＸ２）４１０に接続するために１本の送受信（ＴＸ／ＲＸ）ケーブル２０６ｂを用いている。ＲＢＳ２もデュープレックスフィルタ２０８ｂに接続しているＬＮＡ４１２を含む。このフィルタユニットを見ると、ＲＢＳ１は、アンテナ２０２ｂ’に加えられたＲＸ１帯域内の受信（ＲＸ）信号を受信することができ、ＴＸ１帯域内の送信（ＴＸ）信号をアンテナ２０２ｂ’を用いて送信することができる。一方、ＲＢＳ２は、アンテナ２０２ｂ’に加えられたＲＸ２帯域内の受信（ＲＸ）信号を受信することができ、ＴＸ２帯域内の送信（ＴＸ）信号をアンテナ２０２ｂ’を用いて送信することができる。
【００１６】
ＲＢＳ１とＲＢＳ２に加えて、送受信機システム２００ｂの中にあるか、或はそのシステムに加えられた各ＲＢＳに関して、フィルタユニット２０４ｂ’と、特に、部分帯域デュープレックスフィルタ４０２は、（ＲＸ３フィルタ４１４として示されている）もうひとつの部分帯域受信（ＲＸ）フィルタ４１４と、（ＴＸ３フィルタ４１６として示されている）もうひとつの部分帯域送信（ＴＸ）フィルタ４１６を含む。部分帯域受信フィルタ（ＲＸ３）４１４は部分帯域送信フィルタ（ＴＸ３）４１６に接続している。（ＲＢＳｎと示された）付加されたＲＢＳと、特に、そこに内蔵されたデュープレックスフィルタ２０８ｂは、１本の送受信（ＴＸ／ＲＸ）ケーブル２０６ｂを用いて、部分帯域デュープレックスフィルタ４０２の中の部分帯域受信フィルタ（ＲＸ３）４１４と部分帯域送信フィルタ（ＴＸ３）４１６とに接続している。加えて、ＲＢＳｎもデュープレックスフィルタ２０８ｂに接続しているＬＮＡ４１２を含む。フィルタユニット２０４ｂ’に関係したのと同じフィルタ系が、アンテナ２０２ｂ”を共有する複数のＲＢＳ（ＲＢＳ１、ＲＢＳ２……ＲＢＳｎ）の分岐Ｂと関係するフィルタユニット２０４ｂ”を形成するために用いられる。
【００１７】
図４Ｂを参照すると、送受信機システム２００ｂにおけるアンテナ２０２ｂ’と２０２ｂ”のそれぞれに対して周波数割り当ての例を示す図が示されている。適切な受信フィルタと送信フィルタを選択するだけで、複数のＲＢＳ（ＲＢＳ１、ＲＢＳ２……ＲＢＳｎ）が同じ周波数帯域を共有することができ、（例えば、ＴＤＭＡ、ＣＤＭＡ、ＷＣＤＭＡ、及びＧＳＭのような）異なる無線標準方式で動作することができるのはどのようにしてかを見て取ることが出来る。例えば、ＲＳＢ２の分岐ＡはＴＸ２を用いて１つの標準方式で動作する一方、ＲＢＳ２の分岐Ｂは同じまたは別の標準方式でＴＸ５を用いて動作できることが見て取れる。そして、ＲＢＳ２の分岐ＡとＲＢＳ２の分岐ＢはＲＸ２とＲＸ５は、ＲＸ２とＲＸ５とが一致しない異なる受信（ＲＸ）帯域を持っているので、受信（ＲＸ）ダイバシティ方式を用いない。
【００１８】
図５Ａと５Ｂを参照すると、本発明に従う送受信機システム２００ｃの第３実施例に関する２つの図が示されている。本発明の最初の２つの実施例と同様に、送受信機システム２００ｃと、特に複数のＲＢＳ（ＲＢＳ１、ＲＢＳ２……ＲＢＳｎ）各々は、２つの分岐（分岐Ａと分岐Ｂ）を持っている。明解な説明のために送受信機システム２００ｃの分岐Ａを最初に説明して、その後、分岐Ａと実質的には同じフィルタユニットを持っている分岐Ｂについて、簡単に説明する。
【００１９】
図５Ａに示すように、送受信機システム２００ｃは、フィルタ構造２０４ｃ’へ結合しているアンテナ２０２ｃ’を含む。フィルタ構造２０４ｃ’は多数の無線基地局（ＲＢＳ１、ＲＢＳ２……ＲＢＳｎ）の分岐Ａに接続している。各ＲＢＳ（ＲＢＳ１、ＲＢＳ２……ＲＢＳｎ）は、１本の送受信（ＴＸ／ＲＸ）ケーブル２０６ｃと、もし必要なら１本の受信（ＲＸ）ケーブル２０７ｃを使って、フィルタ構造２０４ｃ’へ接続している。複数のＲＢＳ（ＲＢＳ１、ＲＢＳ２……ＲＢＳｎ）が１つのアンテナ２０２ｃ’を共有可能とするために、各ＲＢＳ（ＲＢＳ１、ＲＢＳ２……ＲＢＳｎ）はデュープレックスフィルタ２０８ｃを内蔵する。そして、フィルタ構造２０４ｃ’は、この実施例では、ダイプレックス・デュープレックスフィルタ５０２を含み、（１つ以上のＲＢＳが共存する場合には）スプリッタ５０４を持ったユニークな構成をしている。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ、ＣＤＭＡ、ＷＣＤＭＡ、及びＧＳＭのような）異なる無線標準方式で動作することの内、少なくともいずれかがあるとしても、複数のＲＢＳ（ＲＢＳ１、ＲＢＳ２……ＲＢＳｎ）が１つのアンテナ２０２ｃ’を共有可能とするために、フィルタ構造２０４ｃ’がどのように構成されるかについて、次に詳しく説明する。
【００２０】
送受信機システム２００ｃに示されたＲＢＳ１とＲＢＳ２に関係するフィルタ構成要素を参照すると、フィルタ構造２０４ｃ’は、ダイプレックス・デュープレックスフィルタ５０２とスプリッタ５０４とを含む。ダイプレックス・デュープレックスフィルタ５０２は、２つの全帯域受信（ＲＸ）フィルタ５０６、５０８と、２つの部分帯域送信（ＴＸ）フィルタ５１０、５１２とを含んでいる。見て分かるとおり、第１の全帯域受信（ＲＸ）フィルタ５０６は、第１の部分帯域送信フィルタ（ＴＸ１）５１０に接続している。そして、第２の全帯域受信（ＲＸ）フィルタ５０８は、第２の部分帯域送信フィルタ（ＴＸ２）５１２に接続しているが、アンテナ２０２ｃ’には結合していない。第１のＲＢＳ１と、特にそこに内蔵されているデュープレックスフィルタ２０８ｃは、１本の送受信（ＴＸ／ＲＸ）ケーブル２０６ｃを用いて、ダイプレックス・デュープレックスフィルタ５０２の中の全帯域受信（ＲＸ）フィルタ５０６と第１の部分帯域送信フィルタ（ＴＸ１）５１０に接続している。加えて、第１のＲＢＳ１は、ＬＮＡ（ＬＮＡ）５１４と、受信（ＲＸ）ケーブル２０７ｃを通してスプリッタ５０４とのインタフェースとなるカップラ５１６とを含む。このように、スプリッタ５０４は、ダイプレックス・デュープレックスフィルタ５０２の中の全帯域受信（ＲＸ）フィルタ５０６から受信した受信（ＲＸ）信号をダイプレックス・デュープレックスフィルタ５０２の中の受信（ＲＸ）フィルタ５０８に接続する。第２のＲＢＳ２と、特に、そこに内蔵されたデュープレックスフィルタ２０８ｃは、ダイプレックス・デュープレックスフィルタ５０２の中の第２の全帯域受信（ＲＸ）フィルタ５０８と第２の部分帯域送信フィルタ（ＴＸ２）５１２に接続するために１本の送受信（ＴＸ／ＲＸ）ケーブル２０６ｃを用いている。ＲＢＳ２はまた、ＬＮＡ５１４を含んでいる。このフィルタユニットを見ると、ＲＢＳ１はアンテナ２０２ｃ’に加えられた受信（ＲＸ）信号を受信することができ、ＴＸ１帯域内の送信（ＴＸ）信号をアンテナ２０２ｃ’を用いて送信することができる。一方、ＲＢＳ２は、アンテナ２０２ｃ’に加えられた受信（ＲＸ）信号をスプリッタ５０４を介して受信することができ、ＴＸ２帯域内の送信（ＴＸ）信号をアンテナ２０２ｃ’を用いて送信することができる。
【００２１】
ＲＢＳ１とＲＢＳ２に加えて、送受信機システム２００ｃの中にあるか、或はそのシステムに加えられるＲＢＳ各々に関して、フィルタ構造２０４ｃ’と、特にダイプレックス・デュープレックスフィルタ５０２は、（ＲＸフィルタ５１８として示されている）もうひとつの全帯域受信（ＲＸ）フィルタ５１８と、（ＴＸ３フィルタ５２０として示されている）もうひとつの部分帯域送信（ＴＸ）フィルタ５２０とを含んでいる。全帯域受信（ＲＸ）フィルタ５１８は、部分帯域送信フィルタ（ＴＸ３）５２０に接続しているが、アンテナ２０２ｃ’には結合していない。（ＲＢＳｎと示されている）付加されたＲＢＳと、特にそこに内蔵されたデュープレックスフィルタ２０８ｃは、１本の送受信（ＴＸ／ＲＸ）ケーブル２０６ｃを用いてダイプレックス・デュープレックスフィルタ５０２に接続している。ＲＢＳｎはまた、ＬＮＡ５１４を含んでいる。このフィルタユニットをみると、ＲＢＳｎは、アンテナ２０２ｃ’に加えられた受信（ＲＸ）信号をスプリッタ５０４を介して受信でき、ＴＸ３帯域内の送信（ＴＸ）信号をアンテナ２０２ｃ’を用いて送信することができる。フィルタユニット２０４ｃ’に関係したのと同じフィルタ系が、アンテナ２０２ｃ”を共有する複数のＲＢＳ（ＲＢＳ１、ＲＢＳ２……ＲＢＳｎ）の分岐Ｂと関係するフィルタ構造２０４ｃ”を形成するために用いられる。
【００２２】
図５Ｂを参照すると、送受信機システム２００ｃにおけるアンテナ２０２ｃ’と２０２ｃ”の夫々に対する代表的な波数割り当てを示す図が示されている。適切な受信フィルタと送信フィルタを選択するだけで、複数のＲＢＳ（ＲＢＳ１、ＲＢＳ２……ＲＢＳｎ）が同じ周波数帯域を共有することができ、（例えば、ＴＤＭＡ、ＣＤＭＡ、ＷＣＤＭＡ、及びＧＳＭのような）異なる無線標準方式で動作することができるのはどのようにしてかを見て取ることが出来る。例えば、ＲＳＢ１の分岐ＡはＴＸ１を用いて１つの標準方式で動作する一方、ＲＢＳ１の分岐Ｂは同じまたは別の標準方式でＴＸ４を用いて動作できることが見て取れる。そして、ＲＢＳ１の分岐ＡとＲＢＳ１の分岐Ｂは同じ受信帯域を持っているので、受信（ＲＸ）ダイバシティ方式を用いることが理解できる。ＲＢＳ２は、隣接帯域で異なった標準方式で動作することが理解できる。
【００２３】
送受信機システム２００ａと２００ｃとを比較すると、送受信機システム２００ｃは送受信機システム２００ａよりも挿入損失が（〜１ｄＢ）低いということに注目すべきである。なぜならば、ＲＢＳ２から送信される送信（ＴＸ）信号は、送受信機システム２００ｃにおいては１つのフィルタ５１２を通るだけなのに対して，送受信機システム２００ａでは２つの送信フィルタ３１２、３１６を通過するからである。また、分岐あたり送受信機システム２００ａはダイプレックスフィルタ３０２と別のデュープレックスフィルタ３０４を用いているが、送受信機システム２００ｃは１つのダイプレックス・デュープレックスフィルタ５０２を用いていることにも注目すべきである。
【００２４】
図６Ａと６Ｂを参照すると、本発明に従う送受信機システム２００ｄの第４実施例に関係する２つの図が示されている。本発明の最初の３つの実施例と同様に、送受信機システム２００ｄと、特に複数のＲＢＳ（ＲＢＳ１、ＲＢＳ２……ＲＢＳｎ）各々は２つの分岐（分岐Ａと分岐Ｂ）を持っている。明解な説明のために、送受信機システム２００ｄの分岐Ａを最初に説明して、その後、分岐Ａと実質的には同じフィルタユニットを持っている分岐Ｂについて、簡単に説明する。
【００２５】
図６Ａに示すように、送受信機システム２００ｄはフィルタユニット２０４ｄ’へ結合しているアンテナ２０２ｄ’を含む。フィルタユニット２０４ｄ’は多数の無線基地局（ＲＢＳ１、ＲＢＳ２……ＲＢＳｎ）の分岐Ａに接続している。各ＲＢＳ（ＲＢＳ１、ＲＢＳ２……ＲＢＳｎ）は、１本の送受信（ＴＸ／ＲＸ）ケーブル２０６ｄを使ってフィルタユニット２０４ｄ’へ接続している。複数のＲＢＳ（ＲＢＳ１、ＲＢＳ２……ＲＢＳｎ）が１つのアンテナ２０２ｄ’を共有可能とするために、各ＲＢＳ（ＲＢＳ１、ＲＢＳ２……ＲＢＳｎ）はデュープレックスフィルタ２０８ｄを内蔵している。そして、フィルタユニット２０４ｄ’は、この実施例では、ダイプレックス・デュープレックスフィルタ６０２を含み、分割器機能を持った低雑音増幅器（ＬＮＡ）６０４を持ったユニークな構成をしている。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ、ＣＤＭＡ、ＷＣＤＭＡ、及びＧＳＭのような）異なる無線標準方式で動作することの内、少なくともいずれかのことがあるとしても、複数のＲＢＳ（ＲＢＳ１、ＲＢＳ２……ＲＢＳｎ）が１つのアンテナ２０２ｄ’を共有可能とするために、フィルタユニット２０４ｄ’がどのように構成されるかについて、次に詳しく説明する。
【００２６】
送受信機システム２００ｄに示されたＲＢＳ１とＲＢＳ２に関係するフィルタ構成要素を参照すると、フィルタユニット２０４ｄ’は、ダイプレックス・デュープレックスフィルタ６０２とＬＮＡ６０４とスプリッタ機能とを含む。ダイプレックス・デュープレックスフィルタ６０２は、２つの全帯域受信（ＲＸ）フィルタ６０６、６０８と、２つの部分帯域送信（ＴＸ）フィルタ６１０、６１２とを含んでいる。見て分かるとおり、第１の全帯域受信（ＲＸ）フィルタ６０６は、ＬＮＡ６０４を介して第１の部分帯域送信フィルタ（ＴＸ１）６１０に接続している。そして、第２の全帯域受信（ＲＸ）フィルタ６０８は、第２の部分帯域送信フィルタ（ＴＸ２）６１２に接続しているが、アンテナ２０２ｄ’には結合していない。第１のＲＢＳ１と、特にそこに内蔵されたデュープレックスフィルタ２０８ｄは、１本の送受信（ＴＸ／ＲＸ）ケーブル２０６ｄを用いて、ＬＮＡ６０４とダイプレックス・デュープレックスフィルタ６０２の中の第１の部分帯域送信フィルタ（ＴＸ１）６１０とに接続している。加えて、第１のＲＢＳ１は、低雑音増幅器（ＬＮＡ）６１４を含む。ＬＮＡ６０４は、ダイプレックス・デュープレックスフィルタ６０２の中の全帯域受信（ＲＸ）フィルタ６０６から受信した受信（ＲＸ）信号をダイプレックス・デュープレックスフィルタ６０２の中の受信（ＲＸ）フィルタ６０８に接続する。第２のＲＢＳ２と、特にそこに内蔵したデュープレックスフィルタ２０８ｄは、ダイプレックス・デュープレックスフィルタ６０２の中の第２の全帯域受信（ＲＸ）フィルタ６０８と第２の部分帯域送信フィルタ（ＴＸ２）６１２とに接続するために１本の送受信（ＴＸ／ＲＸ）ケーブル２０６ｄを用いている。ＲＢＳ２はまた、ＬＮＡ６１４を含んでいる。このフィルタユニットから見ると、ＲＢＳ１は、アンテナ２０２ｄ’に加えられた受信（ＲＸ）信号をＬＮＡ６０４を介して受信することができ、ＴＸ１帯域内の送信（ＴＸ）信号をアンテナ２０２ｄ’を用いて送信することができる。一方、ＲＢＳ２は、アンテナ２０２ｄ’に加えられた受信（ＲＸ）信号をＬＮＡ６０４を介して受信することができ、ＴＸ２帯域内の送信（ＴＸ）信号をアンテナ２０２ｄ’を用いて送信することができる。
【００２７】
ＲＢＳ１とＲＢＳ２に加えて、送受信機システム２００ｄの中にあるか、或はそのシステムに加えられる各ＲＢＳに関し、フィルタユニット２０４ｄ’と、特にダイプレックス・デュープレックスフィルタ６０２は、（ＲＸフィルタ６１８として示されている）もうひとつの全帯域受信（ＲＸ）フィルタ６１８と、（ＴＸ３フィルタ６２０として示されている）もうひとつの部分帯域送信（ＴＸ）フィルタ６２０を含んでいる。全帯域受信（ＲＸ）フィルタ６１８は、ＬＮＡ６０４と部分帯域送信フィルタ（ＴＸ３）６２０に接続しているが、アンテナ２０２ｄ’には結合していない。（ＲＢＳｎと示された）付加されたＲＢＳと、特にそこに内蔵されたデュープレックスフィルタ２０８ｄは、１本の送受信（ＴＸ／ＲＸ）ケーブル２０６ｄを用いてダイプレックス・デュープレックスフィルタ６０２に接続している。ＲＢＳｎはまた、ＬＮＡ６１４を含んでいる。このフィルタユニットからみると、ＲＢＳｎは、アンテナ２０２ｄ’に加えられた受信（ＲＸ）信号をＬＮＡ６０４を介して受信でき、ＴＸ３帯域内の送信（ＴＸ）信号をアンテナ２０２ｄ’を用いて送信することができる。フィルタユニット２０４ｄ’に関係したのと同じフィルタ系がアンテナ２０２ｄ”を共有する複数のＲＢＳ（ＲＢＳ１、ＲＢＳ２……ＲＢＳｎ）の分岐Ｂと関係するフィルタユニット２０４ｄ”を形成するために用いられる。
【００２８】
図６Ｂを参照すると、送受信機システム２００ｄにおけるアンテナ２０２ｄ’と２０２ｄ”の夫々に対する代表的な周波数割り当てを示す図が示されている。適切な受信フィルタと送信フィルタを選択するだけで、複数のＲＢＳ（ＲＢＳ１、ＲＢＳ２……ＲＢＳｎ）が同じ周波数帯域を共有することができ、（例えば、ＴＤＭＡ、ＣＤＭＡ、ＷＣＤＭＡ、及びＧＳＭのような）異なる無線標準方式で動作することができるのはどのようにしてかを見て取ることが出来る。例えば、ＲＢＳ１の分岐ＡはＴＸ１を用いて１つの標準方式で動作する一方、ＲＢＳ１の分岐Ｂは同じまたは別の標準方式でＴＸ４を用いて動作できることが見て取れる。そして、ＲＢＳ１の分岐ＡとＲＢＳ１の分岐Ｂは、両方が同じ受信帯域を持っているので、受信（ＲＸ）ダイバシティ方式を用いることが理解される。ＲＢＳ２は隣接帯域で異なった標準方式で動作することができることも理解できる。
【００２９】
送受信機システム２００ｃと２００ｄとを比較すると、送受信機システム２００ｄは、ＲＢＳ１の中にカップラ５１６とそれに付随する受信（ＲＸ）ケーブル２０７ｃを持たないし、送受信機システム２００ｃに示したようなスプリッタ５０４も持たないということに注目すべきである。しかしながら、送受信機システム２００ｄは、複数のＲＢＳの外側に能動部品であるＬＮＡ６０４が付加されている。更にその上、送受信機システム２００ｄと、特にＲＢＳ１は、送受信機システム２００ｃにおけるＲＢＳ１に比べて受信（ＲＸ）特性が少し悪化する。
【００３０】
認識すべきこととして、上記のフィルタ構造の全てにおいて、“タワーマウントアンプ”（ＴＭＡ）（不図示）が、必要に応じて容易に組み込むことができる。そして、フィルタ構造がスプリッタを含んでいる図３Ａと図５Ａにおいて、このスプリッタ機能を実施するほかの方法があり、それは２つのカップラをＲＢＳの中に設置することである。
【００３１】
送受信機システム２００ａ、２００ｂ、２００ｃ、２００ｄに関連するある詳細な構成や構成要素はこの産業分野では公知であることは理解すべきである。それゆえに、明解な説明のために、上述の説明では、本発明を理解するためには必要はない、送受信機システム２００ａ、２００ｂ、２００ｃ、２００ｄに関連する公知の詳細な構成や構成要素については省略している。最後に、ダイプレックスフィルタとは通常は、１つの帯域（例えば、１９００ＭＨｚ帯）の信号を他の帯域（例えば、８００ＭＨｚ帯）からフィルタするものであると理解されたい。また、デュープレックスフィルタは、受信（ＲＸ）帯域から送信（ＴＸ）帯域をフィルタするものである。
【００３２】
図７には、本発明に従う図２、図３Ａ、図４Ａ、図５Ａ、図６Ａに示した送受信機システム７００を構築するための好適な方法７００の工程を示しているフローチャートが示されている。この方法はステップ７０２で始まり、送受信機システム２００の中に用いられる複数のＲＢＳの各分岐にアンテナ２０２が備えられる。ステップ７０４では、（１つ以上の）ダイプレックスフィルタと、（１つ以上の）デュープレックスフィルタと、（１つ以上の）部分帯域デュープレックスフィルタと、（１つ以上の）ダイプレックス・デュープレックスフィルタと、（１つ以上の）スプリッタと、（１つ以上の）ＬＮＡとの内の少なくともいずれかのユニークな組み合わせをもつフィルタ構造２０４が備えられる（図３Ａ、図４Ａ、図５Ａ、図６Ａを参照）。ステップ７０６では、各ＲＢＳ（ＲＢＳ１、ＲＢＳ２……ＲＢＳｎ）がデュープレックスフィルタ２０８を内蔵する少なくとも２つの無線基地局ＲＢＳ（ＲＢＳ１、ＲＢＳ２……ＲＢＳｎ）が備えられる。複数のＲＢＳ（ＲＢＳ１、ＲＢＳ２……ＲＢＳｎ）が同じ周波数帯域を共有することや、複数のＲＢＳ（ＲＢＳ１、ＲＢＳ２……ＲＢＳｎ）が（例えば、ＴＤＭＡ、ＣＤＭＡ、ＷＣＤＭＡ、及びＧＳＭのような）異なる無線標準方式で動作することの内、少なくともいずれかのことがあるとしても、全てのＲＢＳ（ＲＢＳ１、ＲＢＳ２……ＲＢＳｎ）が１つのアンテナ２０２を共有可能とするように構成されたフィルタ構造２０４に、各ＲＢＳ（ＲＢＳ１、ＲＢＳ２……ＲＢＳｎ）、特に各デュープレックスフィルタ２０８を接続する。フィルタ構造２０４の４つの構成例を図３〜図６に関して説明した。
【００３３】
本発明の４つの実施例が添付図面と前述の詳細な説明で例示したが、本発明は開示された実施例に限定されるものではなく、添付した請求の範囲に記載され定義された本発明の精神を逸脱することなく、数多くの再構成、変形、及び代用が可能であることを理解されたい。
【図面の簡単な説明】
【００３４】
【図１】国際公開第９２／１２５７９号パンフレットで開示された従来の送受信機システムのブロック図である。
【図２】本発明に従う送受信機システムの基本構成要素を示すブロック図である。
【図３Ａ】本発明に従う図２に示した送受信機システムの第１実施例の基本構成要素を示すブロック図である。
【図３Ｂ】本発明に従う図３Ａに示した送受信機システムに関わる代表的な周波数割り当てを示す図である。
【図４Ａ】本発明に従う図２に示した送受信機システムの第２実施例の基本構成要素を示すブロック図である。
【図４Ｂ】本発明に従う図４Ａに示した送受信機システムに関わる代表的な周波数割り当てを示す図である。
【図５Ａ】本発明に従う図２に示した送受信機システムの第３実施例の基本構成要素を示すブロック図である。
【図５Ｂ】本発明に従う図５Ａに示した送受信機システムに関わる代表的な周波数割り当てを示す図である。
【図６Ａ】本発明に従う図２に示した送受信機システムの第４実施例の基本構成要素を示すブロック図である。
【図６Ｂ】本発明に従う図６Ａに示した送受信機システムに関わる代表的な周波数割り当てを示す図である。
【図７】本発明に従う図２、図３Ａ、図４Ａ、図５Ａ、及び図６Ａに示した送受信機システムを構成するための好適な方法のステップを示すフローチャートである。
【図１】
2007515895.tif 000003
【図２】
2007515895.tif 000004
【図３Ａ】
2007515895.tif 000005
【図３Ｂ】
2007515895.tif 000006
【図４Ａ】
2007515895.tif 000007
【図４Ｂ】
2007515895.tif 000008
【図５Ａ】
2007515895.tif 000009
【図５Ｂ】
2007515895.tif 000010
【図６Ａ】
2007515895.tif 000011
【図６Ｂ】
2007515895.tif 000012
【図７】
2007515895.tif 000013
【国際調査報告】
2007515895.tif 000014
2007515895.tif 000015
2007515895.tif 000016